(57)【要約】【課題】実際に画像形成装置において印刷する際にかかる消費電力を表示することで、最も消費電力の少ない画像形成装置を知ることができる情報処理装置を提供する。【解決手段】本発明のコンピュータ２００は、プリンタ３１０，３２０，３３０，３４０とネットワークを介して接続しており、プリンタ３１０，３２０，３３０，３４０の印刷する際にかかる単位枚数あたりの消費電力を示す第１固有情報を取得する第１取得部２１０と、プリンタ３１０，３２０，３３０，３４０の現在の状態情報を取得する第２取得部２２０と、第１取得部２１０にて取得した第１固有情報と第２取得部２２０にて取得した状態情報と印刷ジョブ情報とに基づいて、プリンタ３１０，３２０，３３０，３４０が印刷ジョブを完了するまでの消費電力を演算する第１演算部２３０と、第１演算部２３０の演算結果とその演算結果に対応するプリンタとを表示する表示部２４０と、を備える。【選択図】図２
2010140286.tif 000002
【特許請求の範囲】
【請求項１】
複数の画像形成装置とネットワークを介して接続する情報処理装置であって、
それぞれの前記画像形成装置の印刷する際にかかる単位枚数あたりの消費電力を示す第１固有情報を取得する第１取得部と、
それぞれの前記画像形成装置の現在の状態情報を取得する第２取得部と、
前記第１取得部にて取得した前記第１固有情報と前記第２取得部にて取得した前記状態情報と印刷ジョブ情報とに基づいて、それぞれの前記画像形成装置が印刷ジョブを完了するまでの消費電力を演算する第１演算部と、
前記第１演算部の演算結果と前記演算結果に対応する前記画像形成装置とを表示する表示部と、
を備える情報処理装置。
【請求項２】
前記第１演算部の演算結果において前記消費電力が最少の前記画像形成装置に印刷ジョブを行わせることを決定する第１決定部をさらに備える請求項１に記載の情報処理装置。
【請求項３】
前記第１取得部は、それぞれの前記画像形成装置の印刷処理速度を示す第２固有情報をさらに取得し、
前記第１取得部にて取得した前記第２固有情報と前記第２取得部にて取得した前記状態情報と印刷ジョブ情報とに基づいて、それぞれの前記画像形成装置が印刷ジョブを完了するまでの時間を演算する第２演算部をさらに備え、
前記表示部は、前記第２演算部の演算結果と前記演算結果に対応する前記画像形成装置とを表示する請求項１または２に記載の情報処理装置。
【請求項４】
前記消費電力または前記時間のどちらの要素を優先するかをユーザに選択させる選択部と、
前記選択部で前記消費電力が選択された場合には前記第１演算部の演算結果において前記消費電力が最少の前記画像形成装置に印刷ジョブを行わせることを決定し、前記選択部で前記時間が選択された場合には前記第２演算部の演算結果において前記時間が最少の前記画像形成装置に印刷ジョブを行わせることを決定する第２決定部と、
をさらに備える請求項３に記載の情報処理装置。
【請求項５】
複数の画像形成装置と、
前記画像形成装置とネットワークを介して接続する請求項１〜４のいずれか１項に記載の情報処理装置と、
を備える印刷システム。
【請求項６】
複数の画像形成装置とネットワークを介して接続する情報処理装置に用いられるプログラムであって、
それぞれの前記画像形成装置の印刷する際にかかる単位枚数あたりの消費電力を示す固有情報を取得する第１取得ステップと、
それぞれの前記画像形成装置の現在の状態情報を取得する第２取得ステップと、
前記第１取得ステップにて取得した前記固有情報と前記第２取得ステップにて取得した前記状態情報と印刷ジョブ情報とに基づいて、それぞれの前記画像形成装置が印刷ジョブを完了するまでの消費電力を演算する演算ステップと、
前記演算ステップの演算結果と前記演算結果に対応する前記画像形成装置とを表示する表示ステップと、
を前記情報処理装置に実行させるプログラム。
【発明の詳細な説明】
【技術分野】
【０００１】
本発明は、画像形成装置からの情報を取得する情報処理装置、この情報処理装置を備える印刷システムおよび画像形成装置からの情報を取得するステップを情報処理装置に実行させるプログラムに関する。
【背景技術】
【０００２】
近年では、複数の情報処理装置が共有する画像形成装置として、ローカルエリアネットワーク（ＬＡＮ）などに代表されるネットワークシステムに接続される共有の画像形成装置にネットワークを介して印刷データを高速に送信して印刷する方式が実用化されている。
【０００３】
ネットワーク上に複数の画像形成装置が配置されている場合には、印刷を要求する情報処理装置が直接画像形成装置を指定することにより、指定の画像形成装置にて印刷を行うことができる。
【０００４】
しかし、ネットワークに接続された情報処理装置の数が増えるに連れ、それに比例するように出力機器の台数も増加し、その結果ネットワークの規模が大きくなる傾向にある。規模の大きなネットワークにおいて、ユーザがネットワーク接続された全ての画像形成装置に関して、その性能や機能に熟知することは困難である。
【０００５】
そのため、ネットワークに接続された画像形成装置の消費電力等の効率的な運用が行われず、ネットワークを有している組織全体の効率や生産性の向上が望めない状況にある。
【０００６】
そこで、ネットワークに接続された複数の画像形成装置をサーバーで管理することによって、消費電力の最も少ない画像形成装置を選択できる印刷システムが開示されている（例えば、特許文献１参照。）。
【特許文献１】特開２００４−０６２３５９号公報
【発明の開示】
【発明が解決しようとする課題】
【０００７】
しかし、特許文献１では、画像形成装置の定格消費電力のみを管理しており、画像形成装置の印刷準備にかかる消費電力を管理していないため、特許文献１に係るサーバーにおいて消費電力の最も少ないものとして選択された画像形成装置と実際に印刷する際にかかる消費電力の最も少ない画像形成装置とは、必ずしも一致していなかった。
【０００８】
そこで本発明の目的は、上記課題に鑑み、実際に画像形成装置において印刷する際にかかる消費電力を表示することで、最も消費電力の少ない画像形成装置を知ることができる情報処理装置を提供することにある。
【課題を解決するための手段】
【０００９】
本発明の情報処理装置は、複数の画像形成装置とネットワークを介して接続する情報処理装置であって、それぞれの前記画像形成装置の印刷する際にかかる単位枚数あたりの消費電力を示す第１固有情報を取得する第１取得部と、それぞれの前記画像形成装置の現在の状態情報を取得する第２取得部と、前記第１取得部にて取得した前記第１固有情報と前記第２取得部にて取得した前記状態情報と印刷ジョブ情報とに基づいて、それぞれの前記画像形成装置が印刷ジョブを完了するまでの消費電力を演算する第１演算部と、前記第１演算部の演算結果と前記演算結果に対応する前記画像形成装置とを表示する表示部と、を備える。
【００１０】
この構成では、本発明の情報処理装置とネットワークを介して接続する複数の画像形成装置から、印刷する際にかかる単位枚数あたりのエネルギー消費量の情報と現在の状態情報（スタンバイ、ローパワーまたはスリープ等）とを取得し、これらの情報と印刷枚数等を示す印刷ジョブ情報とに基づいてそれぞれの画像形成装置が印刷ジョブを完了するまでの消費電力を演算し、その演算結果とこの演算結果に対応する画像形成装置とを表示することで、どの画像形成装置で印刷を行えば最も消費電力が少なくて済むかを知ることができる。
【００１１】
本発明の情報処理装置は、前記第１演算部の演算結果において前記消費電力が最少の前記画像形成装置に印刷ジョブを行わせることを決定する第１決定部をさらに備えると好ましい。
【００１２】
この構成では、表示部において表示された演算結果からユーザが使用する画像形成装置をユーザ自らが選択する必要がないため、印刷する際のユーザの手間を省くことができる。
【００１３】
本発明の情報処理装置は、前記第１取得部は、それぞれの前記画像形成装置の印刷処理速度を示す第２固有情報をさらに取得し、前記第１取得部にて取得した前記第２固有情報と前記第２取得部にて取得した前記状態情報と印刷ジョブ情報とに基づいて、それぞれの前記画像形成装置が印刷ジョブを完了するまでの時間を演算する第２演算部をさらに備えると好ましい。また、前記表示部は、前記第２演算部の演算結果と前記演算結果に対応する前記画像形成装置とを表示すると好ましい。
【００１４】
この構成では、本発明の情報処理装置とネットワークを介して接続する複数の画像形成装置から、印刷処理速度の情報をさらに取得し、この情報と状態情報と印刷ジョブ情報とに基づいてそれぞれの画像形成装置が印刷ジョブを完了するまでの時間を演算し、その演算結果とこの演算結果に対応する画像形成装置とを表示することで、ユーザは、それぞれの画像形成装置のジョブ完了までの消費電力と時間とを考慮して印刷を行わせる画像形成装置を決定することができる。
【００１５】
本発明の情報処理装置は、前記消費電力または前記時間のどちらの要素を優先するかをユーザに選択させる選択部と、前記選択部で前記消費電力が選択された場合には前記第１演算部の演算結果において前記消費電力が最少の前記画像形成装置に印刷ジョブを行わせることを決定し、前記選択部で前記時間が選択された場合には前記第２演算部の演算結果において前記時間が最少の前記画像形成装置に印刷ジョブを行わせることを決定する第２決定部と、をさらに備えると好ましい。
【００１６】
この構成では、ユーザが消費電力を優先するか時間を優先するかを選択することができ、ユーザが消費電力を選択したならば第１演算部での演算結果から最も消費電力の少ない画像形成装置を決定し、時間を選択したならば第２演算部での演算結果から最も時間のかからない画像形成装置を決定することで、表示部において表示された演算結果からユーザが使用する画像形成装置をユーザ自らが選択する必要がないため、印刷する際のユーザの手間を省くことができる。
【００１７】
本発明の印刷システムは、複数の画像形成装置と、前記画像形成装置とネットワークを介して接続する本発明の情報処理装置と、を備える。
【００１８】
印刷システムに本発明の情報処理装置を適用することにより、どの画像形成装置で印刷を行えば最も消費電力が少なくて済むかという情報を少なくとも知ることができる。
【００１９】
本発明のプログラムは、複数の画像形成装置とネットワークを介して接続する情報処理装置に用いられるプログラムであって、それぞれの前記画像形成装置の印刷する際にかかる単位枚数あたりの消費電力を示す固有情報を取得する第１取得ステップと、それぞれの前記画像形成装置の現在の状態情報を取得する第２取得ステップと、前記第１取得ステップにて取得した前記固有情報と前記第２取得ステップにて取得した前記状態情報と印刷ジョブ情報とに基づいて、それぞれの前記画像形成装置が印刷ジョブを完了するまでの消費電力を演算する演算ステップと、前記演算ステップの演算結果と前記演算結果に対応する前記画像形成装置とを表示する表示ステップと、を前記情報処理装置に実行させる。
【００２０】
情報処理装置に本発明のプログラムを適用することにより、どの画像形成装置で印刷を行えば最も消費電力が少なくて済むかという情報を知ることができる。
【発明の効果】
【００２１】
本発明における情報処理装置は、実際に画像形成装置において印刷する際にかかる消費電力を表示することで、最も消費電力の少ない画像形成装置を知ることができる。
【発明を実施するための最良の形態】
【００２２】
以下、本発明の最良の実施形態に係る情報処理装置、この情報処理装置を備える印刷システムおよびプログラムを、図面を参照にしつつ詳細に説明する。
【００２３】
図１は、本発明の実施形態に係る情報処理装置を備える印刷システムの構成を示す図である。
【００２４】
印刷システム１００は、コンピュータ２００とプリントサーバ３００と複数のプリンタ３１０，３２０，３３０，３４０とが、それぞれＬＡＮ４００に接続されて構成される。コンピュータ２００は、本発明の情報処理装置に相当する。プリンタ３１０，３２０，３３０，３４０は、本発明の画像形成装置に相当する。なお、ここで示すコンピュータの台数やプリンタの台数などはあくまで例示であり、様々に変更可能である。
【００２５】
コンピュータ２００は、ネットワーク印刷機能を備えた文書表示プログラムや画像表示プログラムを有している。そして、各プログラムでのユーザの印刷操作により印刷ジョブ情報を生成し、その印刷ジョブ情報をＬＡＮ４００を介してプリントサーバ３００に送信する。なお、印刷ジョブ情報には、画像データや印字データのほかに、カラーまたはモノクロでの印刷、印刷枚数、用紙サイズなどを指定する印刷条件データも含まれる。
【００２６】
プリントサーバ３００は、印刷管理装置であり、コンピュータ２００から印刷ジョブ情報が送信されてくると、管理するプリンタ３１０，３２０，３３０，３４０を使って順次印刷を行わせる。コンピュータ２００は、プリントサーバ３００に印刷ジョブ情報を送信した時点で印刷作業から解放され、後はプリントサーバ３００がスプールしたデータに従って処理を行う。つまり、一度印刷ジョブ情報をプリントサーバ３００に送信すれば、プリンタが停止した場合にもデータの再送信を自動的に行うため、コンピュータ２００に直にプリンタを接続して印刷する場合に比べ、コンピュータ２００にかかる負担を軽減することができる。
【００２７】
それぞれのプリンタ３１０，３２０，３３０，３４０は、プリントサーバ３００から送信されてくる印刷ジョブ情報を受信した場合には印刷モードになり、印刷ジョブ情報に含まれる画像データに基づくトナー像を記録用紙に転写し、そのトナー像を装置内部の定着器により記録用紙に熱定着させ記録用紙を排出する。
【００２８】
以上のように印刷システム１００では、プリンタ３１０，３２０，３３０，３４０に送信されてくる印刷ジョブ情報に含まれる画像データを印刷する。
【００２９】
図２は、本発明の実施形態に係る情報処理装置の構成を示すブロック図である。
【００３０】
コンピュータ２００は、プリンタ３１０，３２０，３３０，３４０の印刷する際にかかる単位枚数（例えば、Ａ４換算で１枚）あたりのエネルギー消費量を示す第１固有情報を取得する第１取得部２１０と、プリンタ３１０，３２０，３３０，３４０の現在の状態情報を取得する第２取得部２２０と、印刷ジョブ情報を設定する印刷ジョブ設定部２９０と、第１取得部２１０にて取得した第１固有情報と第２取得部２２０にて取得した状態情報と印刷ジョブ設定部２９０で設定した印刷ジョブ情報とに基づいて、プリンタ３１０，３２０，３３０，３４０が印刷ジョブを完了するまでの消費電力を演算する第１演算部２３０と、第１演算部２３０の演算結果とその演算結果に対応するプリンタとをそれぞれ表示する表示部２４０と、を備える。
【００３１】
また、コンピュータ２００は、第１演算部２３０の演算結果において印刷ジョブを完了するまでの消費電力が最少のプリンタに印刷ジョブを行わせることを決定する第１決定部２５０と、第１取得部２１０にてプリンタ３１０，３２０，３３０，３４０の印刷処理速度を示す第２固有情報をさらに取得したうえでその第２固有情報と第２取得部２２０にて取得した状態情報と印刷ジョブ設定部２９０で設定した印刷ジョブ情報とに基づいて、プリンタ３１０，３２０，３３０，３４０が印刷ジョブを完了するまでの時間を演算する第２演算部２６０と、印刷ジョブを完了するまでの消費電力または時間のどちらの要素を優先するかをユーザに選択させる選択部２７０と、選択部２７０で消費電力が選択された場合には第１演算部２３０の演算結果において消費電力が最少のプリンタに印刷ジョブを行わせることを決定し、選択部２７０で時間が選択された場合には第２演算部２６０の演算結果において時間が最少のプリンタに印刷ジョブを行わせることを決定する第２決定部２８０と、を備え、表示部２４０は、第２演算部の演算結果とその演算結果に対応するプリンタとをさらに表示する。
【００３２】
そして、コンピュータ２００は、第１取得部２１０、第２取得部２２０、第１演算部２３０、第１決定部２５０、第２演算部２６０、選択部２７０および第２決定部２８０の各機能を実現するためのＣＰＵ２９１と、第１取得部２１０、第２取得部２２０、第１演算部２３０、第１決定部２５０、第２演算部２６０、選択部２７０および第２決定部２８０を含むプログラムを格納するＨＤＤ２９２と、を備える。
【００３３】
図３は、本発明の実施形態に係る情報処理装置における処理内容を示すフローチャートである。
【００３４】
以下、ＣＰＵ２９１が行うフローについて説明する。
【００３５】
コンピュータ２００における本発明の各処理は、コンピュータ２００において印刷要求がなされるまで実行されない（Ｓ１０のＮ）。コンピュータ２００において印刷要求がなされると（Ｓ１０のＹ）、第１取得部２１０は、プリンタ３１０，３２０，３３０，３４０のそれぞれの印刷する際にかかる単位枚数あたりのエネルギー消費量を示す第１固有情報および印刷処理速度を示す第２固有情報をＬＡＮ４００を介して取得する（Ｓ２０）。次に、第２取得部２２０は、プリンタ３１０，３２０，３３０，３４０のそれぞれの現在の状態情報（スタンバイ、ローパワーまたはスリープ等）をＬＡＮ４００を介して取得する（Ｓ３０）。次に、第１演算部２３０は、第１固有情報と状態情報と印刷ジョブ情報とに基づいて、プリンタ３１０，３２０，３３０，３４０のそれぞれが印刷ジョブを完了するまでの消費電力を演算し（Ｓ４０）、第２演算部２６０は、第２固有情報と状態情報と印刷ジョブ情報とに基づいて、プリンタ３１０，３２０，３３０，３４０のそれぞれが印刷ジョブを完了するまでの時間を演算する（Ｓ４０）。次に、表示部２４０は、第１演算部２３０の演算結果と第２演算部２６０の演算結果と、それぞれの演算結果に対応するプリンタとを表示する（Ｓ５０）。予め選択部２７０にて消費電力または時間のどちらの要素を優先するかが選択されているときには、第２決定部２８０は、選択部２７０で消費電力が選択された場合には第１演算部２３０の演算結果において消費電力が最少のプリンタに印刷ジョブを行わせることを決定し（Ｓ６０）、選択部２７０で時間が選択された場合には第２演算部２６０の演算結果において時間が最少のプリンタに印刷ジョブを行わせることを決定し（Ｓ６０）、選択部２７０にて選択操作がなされていないときには、第１決定部２５０は、第１演算部２３０の演算結果において印刷ジョブを完了するまでの消費電力が最少のプリンタに印刷ジョブを行わせることを決定する（Ｓ６０）。
【００３６】
ここで、状態情報のスタンバイとは、定着ローラの温度が定着温度に達しており、すぐに印刷ジョブを行える状態のことである。また、ローパワーとは、定着ローラの温度を定着温度未満の状態に保つことで待機中の消費電力を抑えている状態のことである。さらに、スリープとは、定着ローラのヒータをＯＦＦにすることで待機中の消費電力をさらに抑えている状態のことである。
【００３７】
なお、第１取得部２１０および第２取得部２２０は、コンピュータ２００において印刷要求がなされた後に各情報を取得しているが、これに限るものではない。予め各情報を取得しておき、ＨＤＤ２９２にこれらの情報を記憶しておき、印刷要求時にこれらの情報を読み出してもよい。
【００３８】
図４は、本発明の実施形態に係る情報処理装置における情報処理テーブルを示す図である。
【００３９】
図４では、第１取得部２１０で取得した第１固有情報および第２固有情報と、第２取得部２２０で取得した状態情報とがテーブル上に示されている。ここでは一例として、プリンタ３１０は、Ａ４換算で１枚あたりのエネルギー消費量が３．５Ｗｈ(Watt hour）、処理速度が６０ｐｐｍ（page per minute）、現在の状態がローパワーに移行してから２５分が経過しており、プリンタ３２０は、Ａ４換算で１枚あたりのエネルギー消費量が３．２Ｗｈ、処理速度が４５ｐｐｍ、現在の状態がスリープに移行してから４５分が経過しており、プリンタ３３０は、Ａ４換算で１枚あたりのエネルギー消費量が３．８Ｗｈ、処理速度が３０ｐｐｍ、現在の状態がスタンバイであり、プリンタ３４０は、Ａ４換算で１枚あたりのエネルギー消費量が４．０Ｗｈ、処理速度が４５ｐｐｍ、現在の状態がジョブ処理中であるとする。
【００４０】
図５は、本発明の実施形態に係る情報処理装置における情報処理テーブルを示す図である。
【００４１】
図５では、図４の各条件に基づいて第１演算部２３０および第２演算部２６０の演算内容について説明する。また、印刷ジョブ内容は、５０枚のＡ４紙を印刷する場合であるとする。
【００４２】
まず、第２演算部２６０の演算内容から説明する。プリンタ３１０でのジョブ開始可能までの時間は、ローパワーからの復帰に必要な時間が３０秒であるので、ジョブ開始可能までの時間は３０秒であると演算される。次に、印刷に必要な時間は、印刷枚数が５０枚であり、処理速度が６０ｐｐｍであるので、５０÷６０×６０で、５０秒であると演算される。そして２つの合計時間である８０秒が、プリンタ３１０の印刷ジョブを完了するまでの時間である。
【００４３】
プリンタ３２０でのジョブ開始可能までの時間は、スリープからの復帰に必要な時間が１３０秒であるので、ジョブ開始可能までの時間は１３０秒であると演算される。次に、印刷に必要な時間は、印刷枚数が５０枚であり、処理速度が４５ｐｐｍであるので、５０÷４５×６０で、６７秒であると演算される。そして２つの合計時間である１９７秒が、プリンタ３２０の印刷ジョブを完了するまでの時間である。
【００４４】
プリンタ３３０でのジョブ開始までの時間は、状態がスタンバイであるので、ジョブ開始までの時間は０秒であると演算される。次に、印刷に必要な時間は、印刷枚数が５０枚であり、処理速度が３０ｐｐｍであるので、５０÷３０×６０で、１００秒であると演算される。そして２つの合計時間である１００秒が、プリンタ３３０の印刷ジョブを完了するまでの時間である。
【００４５】
プリンタ３４０でのジョブ開始までの時間は、状態がジョブ処理中であり、キューに配分されているジョブの処理時間が３２秒であるので、ジョブ開始可能までの時間は３２秒であると演算される。次に、印刷に必要な時間は、印刷枚数が５０枚であり、処理速度が４５ｐｐｍであるので、５０÷４５×６０で、６７秒であると演算される。そして２つの合計時間である９９秒が、プリンタ３４０の印刷ジョブを完了するまでの時間である。
【００４６】
次に、第１演算部２３０の演算内容を説明する。プリンタ３１０でのジョブ開始までに必要なエネルギー量は、ローパワーからの復帰に必要なエネルギー量である１８Ｗｈである。そして、実行しようとするジョブで消費されるエネルギー量は、Ａ４換算した１枚あたりのエネルギー消費量が３．５Ｗｈであり、印刷枚数が５０枚であるので、３．５×５０で、１７５Ｗｈであると演算される。そして２つの合計エネルギー消費量である１９３Ｗｈが、プリンタ３１０の印刷ジョブを完了するまでの消費電力である。
【００４７】
プリンタ３２０でのジョブ開始までに必要なエネルギー量は、スリープからの復帰に必要なエネルギー量である３６Ｗｈである。そして、実行しようとするジョブで消費されるエネルギー量は、Ａ４換算した１枚あたりのエネルギー消費量が３．２Ｗｈであり、印刷枚数が５０枚であるので、３．２×５０で、１６０Ｗｈであると演算される。そして２つの合計エネルギー消費量である１９６Ｗｈが、プリンタ３２０の印刷ジョブを完了するまでの消費電力である。
【００４８】
プリンタ３３０でのジョブ開始までに必要なエネルギー量は、スタンバイであるので０Ｗｈである。そして、実行しようとするジョブで消費されるエネルギー量は、Ａ４換算した１枚あたりのエネルギー消費量が３．８Ｗｈであり、印刷枚数が５０枚であるので、３．８×５０で、１９０Ｗｈであると演算される。そして２つの合計エネルギー消費量である１９０Ｗｈが、プリンタ３３０の印刷ジョブを完了するまでの消費電力である。
【００４９】
プリンタ３４０でのジョブ開始までに必要なエネルギー量は、ジョブ処理中であるので０Ｗｈである。そして、実行しようとするジョブで消費されるエネルギー量は、Ａ４換算した１枚あたりのエネルギー消費量が４．０Ｗｈであり、印刷枚数が５０枚であるので、４．０×５０で、２００Ｗｈであると演算される。そして２つの合計エネルギー消費量である２００Ｗｈが、プリンタ３４０の印刷ジョブを完了するまでの消費電力である。
【００５０】
図６は、本発明の実施形態に係る情報処理装置における表示部の表示内容を示す図である。
【００５１】
図５のように、第１演算部２３０でプリンタ３１０，３２０，３３０，３４０の印刷ジョブを完了するまでの消費電力が演算され、第２演算部２６０でプリンタ３１０，３２０，３３０，３４０の印刷ジョブを完了するまでの時間が演算されると、表示部２４０は、これらの演算結果と演算結果に対応するプリンタとを表示する。そして、第２決定部２８０は、印刷ジョブを完了するまでの消費電力が最少のプリンタであるプリンタ３３０を決定する。ここでは、予め選択部２７０において消費電力を優先することが選択されているものとする。ここで、ＯＫキー２４１が選択されると、プリンタ３３０で印刷ジョブが開始される。また、プリンタ選択キー２４２が選択されると、ユーザは手動で違うプリンタを選択してそのプリンタで印刷ジョブを開始させることができる。
【００５２】
本実施形態においては情報処理装置について説明したが、それぞれのプリンタ３１０，３２０，３３０，３４０の印刷する際にかかる単位枚数あたりの消費電力を示す固有情報を取得する第１取得ステップと、それぞれのプリンタ３１０，３２０，３３０，３４０の現在の状態情報を取得する第２取得ステップと、第１取得ステップにて取得した固有情報と第２取得ステップにて取得した状態情報と印刷ジョブ情報とに基づいて、それぞれのプリンタ３１０，３２０，３３０，３４０が印刷ジョブを完了するまでの消費電力を演算する演算ステップと、演算ステップの演算結果とその演算結果に対応するプリンタとを表示する表示ステップと、を情報処理装置に実行させるプログラムをＨＤＤ２９２に格納しておき、そのプログラムをＣＰＵ２９１が読み出すことで上記ステップを実行させてもよい。
【００５３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５４】
【図１】本発明の実施形態に係る情報処理装置を備える印刷システムの構成を示す図である。
【図２】本発明の実施形態に係る情報処理装置の構成を示すブロック図である。
【図３】本発明の実施形態に係る情報処理装置における処理内容を示すフローチャートである。
【図４】本発明の実施形態に係る情報処理装置における情報処理テーブルを示す図である。
【図５】本発明の実施形態に係る情報処理装置における情報処理テーブルを示す図である。
【図６】本発明の実施形態に係る情報処理装置における表示部の表示内容を示す図である。
【符号の説明】
【００５５】
１００−印刷システム
２００−コンピュータ
２１０−第１取得部
２２０−第２取得部
２３０−第１演算部
２４０−表示部
２５０−第１決定部
２６０−第２演算部
２７０−選択部
２８０−第２決定部
３１０−プリンタ
３２０−プリンタ
３３０−プリンタ
３４０−プリンタ
【図１】
2010140286.tif 000003
【図２】
2010140286.tif 000004
【図３】
2010140286.tif 000005
【図４】
2010140286.tif 000006
【図５】
2010140286.tif 000007
【図６】
2010140286.tif 000008